(57)【要約】【課題】停電等の発生により突然に電源が切断されても、電源の再投入により有価物体の払い出しを正確に行うことができる遊技機を提供すること。【解決手段】停電発生によって電源が切断されると、停電発生フラグがオンされる（Ｓ１）。該フラグがオンの場合（Ｓ１１：Ｙｅｓ）、賞球や貸し球の払出制御（Ｓ１２〜Ｓ１８）をスキップするだけでなく、ＤＣ１２Ｖ生成回路の出力電圧を調べて、その電圧が９．５ボルト以上の場合に限り（Ｓ３１：Ｙｅｓ）、払い出し球の検出処理を実行し（Ｓ１９〜Ｓ２４）、逆に９．５ボルト未満であれば（Ｓ３１：Ｎｏ）、該検出処理をスキップする。賞球カウントスイッチ等の正常動作範囲の電圧は「９〜１３ボルト」なので、「０．５ボルト」のマージンをみて、「９．５ボルト」を基準に、払い出し球の検出処理（Ｓ１９〜Ｓ２４）を実行するか否かを判断している。【選択図】図１０
2010167312.tif 000002
【特許請求の範囲】
【請求項１】
所定の有価価値を有する有価物体の払い出し制御を行う払出制御手段と、その払出制御手段の制御に基づいて有価物体の払い出しを実行する払出実行手段と、その払出実行手段によって払い出された有価物体を検出する払出検出手段とを備えた遊技機において、
前記払出制御手段は、有価物体の払い出し残数を記憶する残数記憶手段と、その残数記憶手段の内容を電源の切断後においても保持させるバックアップ手段と、停電の発生時に前記払出実行手段の払い出し動作を停止させる払出停止手段とを備えており、
停電の発生時において、前記払出検出手段の駆動電圧は、前記払出制御手段の駆動電圧より正常動作範囲の電圧が長く維持されるように構成されていることを特徴とする遊技機。
【請求項２】
所定の有価価値を有する有価物体の払い出し制御を行う払出制御手段と、その払出制御手段の制御に基づいて有価物体の払い出しを実行する払出実行手段と、その払出実行手段によって払い出された有価物体を検出する払出検出手段とを備えた遊技機において、
前記払出制御手段は、有価物体の払い出し残数を記憶する残数記憶手段と、その残数記憶手段の内容を電源の切断後においても保持させるバックアップ手段と、停電の発生時に前記払出実行手段の払い出し動作を停止させる払出停止手段と、停電の発生時に前記払出検出手段の駆動電圧が正常動作範囲外の電圧値になった場合に、その払出検出手段による検出を禁止する検出禁止手段とを備えていることを特徴とする遊技機。
【発明の詳細な説明】
【技術分野】
【０００１】
本発明は、パチンコ機やスロットマシンに代表される遊技機に関し、特に、停電等の発生により突然に電源が切断されても、電源の再投入により有価物体の払い出しを正確に行うことができる遊技機に関するものである。
【背景技術】
【０００２】
従来、パチンコ機の賞球の払い出しは、いわゆる証拠球方式により行われていた。即ち、打球が入賞口へ入賞すると、その入賞球は証拠球として一旦タンクへ保存され、賞球の払い出しが賞球払出用モータを駆動して行われた後で、タンクから除かれるというものである。この証拠球方式の賞球の払い出しはメカ式であるので、賞球の払い出し前に停電等が発生してパチンコ機の電源が切断されても、パチンコ機の電源が再投入されれば、タンクに保存された証拠球に基づいて賞球の払い出しを行うことができる。しかし、その一方で、入賞球に対する賞球数を変更するためには賞球の払出機構の設計変更が必要になったり、また、賞球は少ない賞球数のものから順に払い出されるように設計されているので、複数の打球が短時間の間に続けて入賞すると、払い出されている賞球がどの入賞球に対するものなのかを判別することができず、パチンコ機の検査等に支障を来してしまうのである。
【０００３】
このため近年のパチンコ機では、証拠球方式による賞球の払い出しに代えて、ソフト方式（ソフト制御）の賞球の払い出しが数多く採用されている。かかるソフト方式の賞球の払い出しでは、すべての入賞口に入賞球を検出するためのスイッチを設けて、そのスイッチの状態を主制御基板で監視し、打球の入賞が検出された場合には、そのスイッチに対する賞球数を払出制御基板へ報せ、かかる賞球の払い出しを払出制御基板に行わせる。このソフト方式の賞球の払い出しでは、払い出される賞球数はメモリに記憶されるので、停電等の発生によりパチンコ機の電源が切断された場合にも、かかるメモリ内容を保持するために、払出制御基板のメモリをバックアップする必要がある。
【発明の概要】
【発明が解決しようとする課題】
【０００４】
メモリの内容をバックアップする場合には、一般に、所定のバックアップ処理が行われるが、かかるバックアップ処理は、電源の切断が検出されると、割込処理によって即座に実行される。このバックアップ処理が極めて短時間のうちに終了すると、払い出し途中にある賞球（即ち、賞球払出用モータによって払い出され、且つ、スイッチにより検出される前の落下途中にある賞球）を検出することができないという問題点がある。
【０００５】
一方、賞球の払い出しを検出するスイッチの駆動電圧は９〜１２ボルトであり、４〜５ボルトで駆動する払出制御基板の駆動電圧より大きいので、バックアップ処理が長引いて、スイッチの駆動電圧が９ボルト未満に下がってもなお終了しないと、正常動作範囲外の電圧で駆動するスイッチの出力を、正常動作範囲内の電圧（４ボルト以上）で駆動している払出制御基板が読み込むことになり、誤った賞球の払い出し結果を、払出制御基板が読み込んでしまうという問題点がある。即ち、実際には払い出されていない賞球を、払い出されたものとして判断してしまうのである。かかる誤検出があると、払出制御基板のメモリ内容をバックアップしても、本来払い出すべき数の賞球を払い出すことができない。
【０００６】
本発明は上述した問題点を解決するためになされたものであり、停電等の発生により突然に電源が切断されても、電源の再投入により有価物体の払い出しを正確に行うことができる遊技機を提供することを目的としている。
【課題を解決するための手段】
【０００７】
この目的を達成するために請求項１記載の遊技機は、所定の有価価値を有する有価物体の払い出し制御を行う払出制御手段と、その払出制御手段の制御に基づいて有価物体の払い出しを実行する払出実行手段と、その払出実行手段によって払い出された有価物体を検出する払出検出手段とを備え、更に、前記払出制御手段は、有価物体の払い出し残数を記憶する残数記憶手段と、その残数記憶手段の内容を電源の切断後においても保持させるバックアップ手段と、停電の発生時に前記払出実行手段の払い出し動作を停止させる払出停止手段とを備えており、停電の発生時において、前記払出検出手段の駆動電圧は、前記払出制御手段の駆動電圧より正常動作範囲の電圧が長く維持されるように構成されている。
この請求項１記載の遊技機によれば、停電等の発生により突然に電源が切断されると、まず、払出停止手段によって払出実行手段の払い出し動作が停止される。この時、払出制御手段と払出検出手段とは動作を継続しており、しかも、払出検出手段の駆動電圧は、払出制御手段の駆動電圧より正常動作範囲の電圧が長く維持されるように構成されているので、払出制御手段が動作している間、払出検出手段は正常な検出結果を出力する。よって、停電の発生前に払出実行手段によって払い出された有価物体は、払出検出手段によって正常に検出され、その検出結果に基づいて、払出制御手段の残数記憶手段の内容が更新される。この残数記憶手段の内容は、バックアップ手段によって電源の切断後も保持されるので、停電等の発生により突然に電源が切断されても、電源の再投入により有価物体の払い出しは正確に行われる。
【０００８】
請求項２記載の遊技機は、所定の有価価値を有する有価物体の払い出し制御を行う払出制御手段と、その払出制御手段の制御に基づいて有価物体の払い出しを実行する払出実行手段と、その払出実行手段によって払い出された有価物体を検出する払出検出手段とを備え、更に、前記払出制御手段は、有価物体の払い出し残数を記憶する残数記憶手段と、その残数記憶手段の内容を電源の切断後においても保持させるバックアップ手段と、停電の発生時に前記払出実行手段の払い出し動作を停止させる払出停止手段と、停電の発生時に前記払出検出手段の駆動電圧が正常動作範囲外の電圧値になった場合に、その払出検出手段による検出を禁止する検出禁止手段とを備えている。
この請求項２記載の遊技機によれば、停電等の発生により突然に電源が切断されると、まず、払出停止手段によって払出実行手段の払い出し動作が停止される。この時、払出制御手段と払出検出手段とは動作を継続しているが、払出検出手段の駆動電圧が正常動作範囲外の電圧値になった場合には、検出禁止手段によって払出検出手段による検出が禁止されるので、払出制御手段は、払出検出手段の正常な検出結果のみを入力することができる。よって、停電の発生前に払出実行手段によって払い出された有価物体は、払出検出手段によって正常に検出され、その検出結果に基づいて、払出制御手段の残数記憶手段の内容が更新される。この残数記憶手段の内容は、バックアップ手段によって電源の切断後も保持されるので、停電等の発生により突然に電源が切断されても、電源の再投入により有価物体の払い出しは正確に行われる。
【発明の効果】
【０００９】
請求項１記載の遊技機によれば、停電等の発生により突然に電源が切断されると、払出制御手段と払出検出手段との動作を継続しつつ、払出実行手段の払い出し動作を停止する。払出検出手段の駆動電圧は、払出制御手段の駆動電圧より正常動作範囲の電圧が長く維持されるように構成されているので、払出制御手段が動作している間、払出検出手段は正常な検出結果を出力する。よって、停電の発生前に払出実行手段によって払い出された有価物体を払出検出手段により検出し、その検出結果に基づいて、払出制御手段の残数記憶手段の内容を更新することができる。残数記憶手段の内容は電源の切断後も保持されるので、停電等の発生により突然に電源が切断されても、電源の再投入により有価物体の払い出しを正確に行うことができるという効果がある。
請求項２記載の遊技機によれば、停電等の発生により突然に電源が切断されると、払出制御手段と払出検出手段との動作を継続しつつ、払出実行手段の払い出し動作を停止する。払出検出手段の駆動電圧が正常動作範囲外の電圧値になった場合には、検出禁止手段によって払出検出手段による検出が禁止されるので、払出制御手段は、払出検出手段の正常な検出結果のみを入力することができる。よって、停電の発生前に払出実行手段によって払い出された有価物体を払出検出手段により検出し、その検出結果に基づいて、払出制御手段の残数記憶手段の内容を更新することができる。残数記憶手段の内容は電源の切断後も保持されるので、停電等の発生により突然に電源が切断されても、電源の再投入により有価物体の払い出しを正確に行うことができるという効果がある。
【図面の簡単な説明】
【００１０】
【図１】本発明の一実施例であるパチンコ機の遊技盤の正面図である。
【図２】パチンコ機の電気的構成を示したブロック図である。
【図３】停電等の発生によりパチンコ機の電源が切断された場合に電源基板から出力される各駆動電圧の変化の様子を示した図である。
【図４】払出制御基板の外部割込で実行される停電割込処理のフローチャートである。
【図５】払出制御基板で実行されるメイン処理のフローチャートである。
【図６】第２実施例におけるパチンコ機の電気的構成を示したブロック図である。
【図７】第２実施例のパチンコ機において、停電等の発生により電源が切断された場合に電源基板から出力される各駆動電圧の変化の様子を示した図である。
【図８】第３実施例におけるパチンコ機の電気的構成を示したブロック図である。
【図９】第３実施例のパチンコ機において、停電等の発生により電源が切断された場合に電源基板から出力される各駆動電圧の変化の様子を示した図である。
【図１０】第３実施例の払出制御基板で実行されるメイン処理のフローチャートである。
【発明を実施するための形態】
【００１１】
以下、本発明の好ましい実施例について、添付図面を参照して説明する。第１実施例では、遊技機の一例として弾球遊技機の一種であるパチンコ機、特に、第１種パチンコ遊技機を用いて説明する。なお、本発明を第３種パチンコ遊技機や、コイン遊技機、スロットマシン等の他の遊技機に用いることは、当然に可能である。
【００１２】
図１は、第１実施例のパチンコ機Ｐの遊技盤の正面図である。遊技盤１の周囲には、打球が入賞することにより５個から１５個の球が払い出される複数の入賞口２が設けられている。また、遊技盤１の中央には、複数種類の識別情報としての図柄などを表示する液晶（ＬＣＤ）ディスプレイ３が設けられている。このＬＣＤディスプレイ３の表示画面は横方向に３分割されており、３分割された各表示領域において、それぞれ右から左へ横方向にスクロールしながら図柄の変動表示が行われる。
【００１３】
ＬＣＤディスプレイ３の下方には、図柄作動口（第１種始動口）４が設けられ、打球がこの図柄作動口４を通過することにより、前記したＬＣＤディスプレイ３の変動表示が開始される。図柄作動口４の下方には、特定入賞口（大入賞口）５が設けられている。この特定入賞口５は、ＬＣＤディスプレイ３の変動後の表示結果が予め定められた図柄の組み合わせの１つと一致する場合に、大当たりとなって、打球が入賞しやすいように所定時間（例えば、３０秒経過するまで、あるいは、打球が１０個入賞するまで）開放される。
【００１４】
この特定入賞口５内には、Ｖゾーン５ａが設けられており、特定入賞口５の開放中に、打球がＶゾーン５ａ内を通過すると、継続権が成立して、特定入賞口５の閉鎖後、再度、その特定入賞口５が所定時間（又は、特定入賞口５に打球が所定個数入賞するまで）開放される。この特定入賞口５の開閉動作は、最高で１６回（１６ラウンド）繰り返し可能にされており、開閉動作の行われ得る状態が、いわゆる所定の遊技価値の付与された状態（特別遊技状態）である。
【００１５】
図２は、パチンコ機Ｐの電気的構成を示したブロック図であり、特に、遊技の制御を行う主制御基板Ｃの周辺装置と、賞球や貸し球の払出制御を行う払出制御基板Ｈと、各制御基板やスイッチ、モータなどへ電力を供給する電源基板Ｄとの電気的構成を示したブロック図である。
【００１６】
パチンコ機Ｐは、演算装置であるＭＰＵを始め、遊技の制御プログラムを記憶したＲＯＭおよび書き替え可能なメモリとしてのＲＡＭを搭載した主制御基板Ｃを備えている。この主制御基板Ｃの入出力ポートには、後述する払出制御基板Ｈのほか、複数の普通入賞スイッチ１７と、第１種始動口スイッチ１８と、Ｖカウントスイッチ１９と、１０カウントスイッチ２０と、賞球カウントスイッチ２２と、他の入出力装置２５とがそれぞれ接続されている。
【００１７】
普通入賞スイッチ１７は、遊技領域１内の複数の普通入賞口２へ入賞した球をそれぞれ検出するためのスイッチであり、各普通入賞口２の入口近傍に設けられている。第１種始動口スイッチ１８は、図柄作動口（第１種始動口）４を通過した球を検出するためのスイッチであり、図柄作動口４の近傍に設けられている。普通入賞スイッチ１７のいずれか又は第１種始動口スイッチ１８によって球が検出されると、払出制御基板Ｈによって６個の賞球が払い出される。Ｖカウントスイッチ１９は、特定入賞口５内のＶゾーン５ａへ入賞した球を検出するためのスイッチであり、また、１０カウントスイッチ２０は、特定入賞口５内のＶゾーン５ａ以外へ入賞した球を検出するためのスイッチである。Ｖカウントスイッチ１９又は１０カウントスイッチ２０により球が検出されると、払出制御基板Ｈによって１５個の賞球が払い出される。なお、賞球の払い出しは、主制御基板Ｃから払出制御基板Ｈへ賞球数を指示する賞球コマンドが送信されることにより行われる。
【００１８】
この主制御基板Ｃは、入力および出力が固定的なバッファ（インバータゲート）（図示せず）を介して、払出制御基板Ｈと接続されている。このため主制御基板Ｃと払出制御基板Ｈとの間における賞球コマンド等の送受信は、主制御基板Ｃから払出制御基板Ｈへの一方向にのみ行われ、払出制御基板Ｈから主制御基板Ｃへ行うことはできない。なお、主制御基板Ｃと払出制御基板Ｈとは、８本のデータ線と１本のストローブ線とにより接続されており、ストローブ線のデータがアクティブになった時に、８本のデータ線上に出力されているデータが主制御基板Ｃから払出制御基板Ｈへコマンドとして送信される。
【００１９】
払出制御基板Ｈは賞球や貸し球の払出制御を行うものであり、演算装置であるＭＰＵ３１と、そのＭＰＵ３１により実行される制御プログラムや固定値データ等を記憶したＲＯＭ３２と、ワークメモリ等として使用されるＲＡＭ３３とを備えている。図４及び図５に示すフローチャートのプログラムは、制御プログラムの一部としてＲＯＭ３２内に記憶されている。
【００２０】
払出制御基板ＨのＲＡＭ３３は、残賞球数カウンタ３３ａと、賞球中フラグ３３ｂと、残球貸数カウンタ３３ｃと、停電発生フラグ３３ｄとを備えると共に、バックアップ用のコンデンサ３４が接続されてバックアップ可能に構成されている。このため、残賞球数カウンタ３３ａや残球貸数カウンタ３３ｃの値は、パチンコ機Ｐの電源が切断された場合にも保持される。
【００２１】
残賞球数カウンタ３３ａは未払いの賞球数を記憶するカウンタであり、賞球コマンドによって主制御基板Ｃから払出制御基板Ｈへ賞球の払い出しが指示される毎に、指示された賞球数が加算される。逆に、残賞球数カウンタ３３ａの値は、賞球カウントスイッチ２２が払い出された賞球を検出する毎に「１」ずつ減算される。前記した通り、この残賞球数カウンタ３３ａの値はコンデンサ３４によってバックアップされるので、賞球の払い出し途中でパチンコ機Ｐの電源が切断された場合にも（停電の発生等により電源が突然切断された場合にも）、そのパチンコ機Ｐの電源を再投入することにより、残りの賞球（未払い分の賞球）を正確に払い出すことができる。
【００２２】
賞球中フラグ３３ｂは、賞球の払い出し処理が実行されていることを示すためのフラグであり、賞球の払い出し動作が開始されるとオンされ、賞球の払い出しが完了して、残賞球数カウンタ３３ａの値が「０」となるとオフされる。賞球中フラグ３３ｂがオンされている間は、例え球貸しの要求があっても、賞球動作が完了して賞球中フラグ３３ｂがオフされるまで、即ち、残賞球数カウンタ３３ａの値が「０」になるまで、球貸し動作は待機される。なお、球貸し動作中に、賞球の払い出し要求があっても、球貸し動作が終了するまで、賞球の払い出し動作は待機される（図５のＳ１２及びＳ１３）。
【００２３】
残球貸数カウンタ３３ｃは未払いの球貸し数を記憶するカウンタであり、球貸し要求がある毎に、要求された球貸し数が加算される。逆に、残球貸数カウンタ３３ｃの値は、球貸カウントスイッチ２４が払い出された貸し球を検出する毎に「１」ずつ減算される。前記した通り、この残球貸数カウンタ３３ｃの値は、残賞球数カウンタ３３ａの場合と同様に、コンデンサ３４によってバックアップされるので、貸し球の払い出し途中でパチンコ機Ｐの電源が切断された場合にも（停電の発生等により電源が突然切断された場合にも）、そのパチンコ機Ｐの電源を再投入することにより、残りの貸し球（未払い分の貸し球）を正確に払い出すことができる。
【００２４】
停電発生フラグ３３ｄは、停電の発生や電源スイッチのオフによってパチンコ機Ｐへの電力供給が途絶えた場合にオンされるフラグである。パチンコ機Ｐへ電力供給を行う外部電源４１の出力電圧は、電源監視回路４５によって絶えず監視されている。停電等が発生すると、外部電源４１の出力電圧は所定電圧以下に下がるが、かかる電圧低下が電源監視回路４５によって検出されると、電源監視回路４５から払出制御基板ＨのＭＰＵ３１へ停電信号４５ａが出力される。停電信号４５ａの信号線はＭＰＵ３１の外部割込端子に接続されており、停電信号４５ａが出力されると、ＭＰＵ３１によって図４に示す停電割込処理が実行され、停電発生フラグ３３ｄがオンされる。なお、一旦オンされた停電発生フラグ３３ｄは、パチンコ機Ｐの電源が再投入されるまでオフされない。
【００２５】
これらＭＰＵ３１、ＲＯＭ３２及びＲＡＭ３３は、アドレスバス及びデータバスで構成されるバスライン３５により互いに接続されている。バスライン３５は、また、入出力ポート３６にも接続されている。入出力ポート３６は、前述した入力および出力が固定的なバッファ（インバータゲート）（図示せず）を介して主制御基板Ｃと接続されるほか、賞球払出用モータ２１と、賞球カウントスイッチ２２と、球貸払出用モータ２３と、球貸カウントスイッチ２４と、他の入出力装置４０とにそれぞれ接続されている。
【００２６】
賞球払出用モータ２１は、賞球を払い出すためのモータであり、払出制御基板Ｈによって駆動制御される。賞球カウントスイッチ２２は、賞球払出用モータ２１を駆動することによって実際に払い出された賞球を検出するためのスイッチであり、その出力は、払出制御基板Ｈのみならず、主制御基板Ｃへも入力される。球貸払出用モータ２３は、貸し球を払い出すためのモータであり、払出制御基板Ｈによって駆動制御される。球貸カウントスイッチ２４は、球貸払出用モータ２３を駆動することによって実際に払い出された貸し球を検出するためのスイッチであり、その出力は払出制御基板Ｈへのみ入力される。
【００２７】
電源基板Ｄは、ＤＣ２４Ｖ生成回路４２と、ＤＣ１２Ｖ生成回路４３と、ＤＣ５Ｖ生成回路４４と、電源監視回路４５とを備えている。ＤＣ２４Ｖ生成回路４２は、外部電源４１から入力される２４ボルトの交流電圧から＋２４ボルトの直流電圧を生成するための回路である。生成された＋２４ボルトの直流電圧は、電源基板Ｄ内のＤＣ１２Ｖ生成回路４３及びＤＣ５Ｖ生成回路４４へ供給されるほか、賞球払出用モータ２１および球貸払出用モータ２３などの各種モータへ駆動電圧として供給される。
【００２８】
ＤＣ１２Ｖ生成回路４３は、ＤＣ２４Ｖ生成回路４２から供給される＋２４ボルトの直流電圧から＋１２ボルトの直流電圧を生成するための回路である。生成された＋１２ボルトの直流電圧は、各種スイッチ１７〜２０，２２，２４へ駆動電圧として供給される。ＤＣ５Ｖ生成回路４４は、ＤＣ１２Ｖ生成回路４３と同様に、ＤＣ２４Ｖ生成回路４２から供給される＋２４ボルトの直流電圧から＋５ボルトの直流電圧を生成するための回路である。生成された＋５ボルトの直流電圧は、主制御基板Ｃや払出制御基板Ｈなどの各制御基板へ駆動電圧として供給される。
【００２９】
これらＤＣ２４Ｖ生成回路４２、ＤＣ１２Ｖ生成回路４３およびＤＣ５Ｖ生成回路４４の出力電圧は、停電の発生や電源スイッチのオフによってパチンコ機Ｐの電源が切断されると、図３に示すように低下していく。第１実施例では、ＤＣ２４Ｖ生成回路４２の出力電圧からＤＣ１２Ｖ生成回路４３およびＤＣ５Ｖ生成回路４４の出力電圧が生成されており、かつ、ＤＣ１２Ｖ生成回路４２にはＤＣ５Ｖ生成回路４４より十分に大容量のコンデンサ（図示せず）が接続されている。よって、ＤＣ１２Ｖ生成回路４３の出力電圧の方が、ＤＣ５Ｖ生成回路４４の出力電圧よりも、正常動作範囲の電圧を長く維持することができるのである。
【００３０】
ここで、正常動作範囲の電圧とは、ＤＣ１２Ｖ生成回路４３については、ＤＣ１２Ｖ生成回路４３に接続される各種スイッチ１７〜２０，２２，２４の正常動作範囲の電圧である「９〜１３ボルト」が相当し、ＤＣ５Ｖ生成回路４４については、ＤＣ５Ｖ生成回路４４に接続される各種制御基板Ｃ，Ｈの正常動作範囲の電圧である「４〜５．５ボルト」が相当する。
【００３１】
従って、停電等の発生によりパチンコ機Ｐの電源が切断されても、払出制御基板Ｈが動作している間は、賞球カウントスイッチ２２及び球貸カウントスイッチ２４には正常動作可能な電圧が供給されるので、賞球カウントスイッチ２２及び球貸カウントスイッチ２４から払出制御基板Ｈへ、誤った検出結果が出力されることは無い。即ち、払出制御基板Ｈが動作している間は、賞球カウントスイッチ２２及び球貸カウントスイッチ２４から払出制御基板Ｈへ、正常な検出結果のみが出力される。
【００３２】
図２に示す電源基板Ｄの電源監視回路４５は、停電の発生や電源スイッチのオフによってパチンコ機Ｐの電源が切断された場合に、停電信号４５ａを払出制御基板ＨのＭＰＵ３１へ出力するための回路である。停電監視回路４５は、外部電源４１の出力電圧を絶えず監視しており、外部電源４１の出力電圧が所定電圧以下になった場合に、停電信号４５ａを出力する。前述した通り、停電信号４５ａが払出制御基板ＨのＭＰＵ３１へ出力されると、ＭＰＵ３１によって図４に示す停電割込処理が実行され停電発生フラグ３３ｄがオンされる。
【００３３】
次に、図４及び図５を参照して、払出制御基板Ｈで行われる停電割込処理およびメイン処理について説明する。図４は、停電割込処理のフローチャートである。停電等の発生によりパチンコ機Ｐの電源が切断されて、外部電源４１の出力電圧が所定電圧以下になると、電源監視回路４５から払出制御基板ＨのＭＰＵ３１へ停電信号４５ａが出力される。停電信号４５ａの信号線はＭＰＵ３１の外部割込端子に接続されているので、停電信号４５ａが出力されると、ＭＰＵ３１によって停電割込処理が実行される。
【００３４】
停電割込処理では、まず、停電の発生を報せるべく停電発生フラグ３３ｄをオンする（Ｓ１）。その後は、停電割込をマスクして（Ｓ２）、この停電割込処理を終了する。停電割込をマスクしなければ、停電信号４５ａの継続出力によって絶えず停電割込が発生するために、後述するメイン処理の実行時間が確保できなくなるからである。
【００３５】
図５は、払出制御基板Ｈのメイン処理のフローチャートである。このメイン処理は払出制御基板Ｈで行われる初期化処理の後に実行されるものであり、メイン処理によって、払出制御基板Ｈで必要な賞球や貸し球の払い出し等の各処理が実行される。
【００３６】
メイン処理では、まず、停電発生フラグ３３ｄの状態を調べる（Ｓ１１）。停電発生フラグ３３ｄがオフされていれば（Ｓ１１：Ｎｏ）、未だ、停電等は発生していないので、以降のＳ１２からＳ１８の各処理によって、賞球や貸し球の払出制御を行う。一方、停電発生フラグ３３ｄがオンされていれば（Ｓ１１：Ｙｅｓ）、既に停電等が発生してパチンコ機Ｐの電源が切断されているので、賞球や貸し球の払出制御を停止するべく、Ｓ１２からＳ１８の各処理をスキップして、処理をＳ１９へ移行する。賞球や貸し球の払出制御は、賞球払出用モータ２１又は球貸払出用モータ２３を駆動して行われるので、消費する電力が大きい。しかし、第１実施例では、停電等の発生により、かかる払出制御を真っ先に停止するので、その分、消費電力を抑えて、各制御基板Ｃ，Ｈの停電等の発生時における動作時間をより長くすることができるのである。
【００３７】
Ｓ１２の処理では、賞球中フラグ３３ｂの状態を調べ（Ｓ１２）、オフされていれば（Ｓ１２：Ｎｏ）、賞球動作は行われていないので、残球貸数カウンタ３３ｃの値を調べる（Ｓ１３）。残球貸数カウンタ３３ｃの値が「０」でなければ（Ｓ１３：Ｎｏ）、払い出すべき貸し球が存在するので、球貸払出用モータ２３を駆動して貸し球を１個払い出す（Ｓ１４）。一方、Ｓ１２の処理において賞球中フラグ３３ｂがオンされていれば（Ｓ１２：Ｙｅｓ）、賞球動作中であるので、また、Ｓ１３の処理において残球貸数カウンタ３３ｃの値が「０」であれば（Ｓ１３：Ｙｅｓ）、払い出すべき貸し球は存在しないので、残賞球数カウンタ３３ａの値を調べる（Ｓ１５）。残賞球数カウンタ３３ａの値が「０」でなければ（Ｓ１５：Ｎｏ）、払い出すべき賞球が存在するので、賞球払出用モータ２１を駆動して賞球を１個払い出し（Ｓ１６）、賞球動作中であることを示すべく、賞球中フラグ３３ｂをオンする（Ｓ１７）。一方、残賞球数カウンタ３３ａの値が「０」であれば（Ｓ１５：Ｙｅｓ）、払い出すべき賞球は存在しないので、賞球中フラグ３３ｂをオフして（Ｓ１８）、賞球動作を終了する。
【００３８】
Ｓ１９からＳ２４の処理では、Ｓ１２からＳ１８の各処理によって払い出された賞球および貸し球の検出処理が行われる。これらの検出処理は停電発生フラグ３３ｄのオンオフに関係なく実行される。即ち、賞球および貸し球の検出処理は、停電の発生時においても、払出制御基板Ｈが動作を継続する限り実行される。
【００３９】
なお、前記した通り、停電等の発生時には電力消費の大きな賞球や貸し球の払出制御が真っ先に停止されるので、払出制御基板Ｈをより長く動作させることができる。よって、停電等の発生直前に払い出された賞球や貸し球であっても、これらを賞球カウントスイッチ２２及び球貸カウントスイッチ２４によって検出することができるのである。
【００４０】
Ｓ１９の処理では、まず、賞球カウントスイッチ２２がオンされたか否かを確認し（Ｓ１９）、オンが検出されれば（Ｓ１９：Ｙｅｓ）、賞球の払い出しが行われたということである。よって、かかる場合には、残賞球数カウンタ３３ａの値を確認し（Ｓ２０）、その値が「０」でなければ（Ｓ２０：Ｎｏ）、払い出された賞球に対応して残賞球数カウンタ３３ａの値を「１」減算する（Ｓ２１）。一方、賞球カウントスイッチ２２のオンが検出されない場合や（Ｓ１９：Ｎｏ）、賞球カウントスイッチ２２のオンが検出されても（Ｓ１９：Ｙｅｓ）、残賞球数カウンタ３３ａの値が「０」である場合には（Ｓ２０：Ｙｅｓ）、Ｓ２１の処理をスキップする。
【００４１】
Ｓ２２の処理では、球貸カウントスイッチ２４がオンされたか否かを確認する（Ｓ２２）。球貸カウントスイッチ２４のオンが検出されれば（Ｓ２２：Ｙｅｓ）、貸し球の払い出しが行われたということである。よって、かかる場合には、残球貸数カウンタ３３ｃの値を確認し（Ｓ２３）、その値が「０」でなければ（Ｓ２３：Ｎｏ）、払い出された貸し球に対応して残球貸数カウンタ３３ｃの値を「１」減算する（Ｓ２４）。一方、球貸カウントスイッチ２４のオンが検出されない場合や（Ｓ２２：Ｎｏ）、球貸カウントスイッチ２４のオンが検出されても（Ｓ２２：Ｙｅｓ）、残球貸数カウンタ３３ｃの値が「０」である場合には（Ｓ２３：Ｙｅｓ）、Ｓ２４の処理をスキップする。Ｓ２２：Ｎｏ，Ｓ２３：Ｙｅｓ，Ｓ２４の各処理の実行後は、払出制御基板Ｈで必要な各処理を実行し（Ｓ２５）、その実行後は、処理を再びＳ１１へ移行する。
【００４２】
以上説明したように、第１実施例のパチンコ機Ｐによれば、停電等の発生により電源が切断されると、停電発生フラグ３３ｄがオンされて、賞球や貸し球の払出制御が停止される（Ｓ１１：Ｙｅｓ）。このとき、払出制御基板Ｈ、賞球カウントスイッチ２２及び球貸カウントスイッチ２４は正常に動作を継続しており、しかも、図３に示すように、各スイッチ２２，２４の駆動電圧の方が払出制御基板Ｈの駆動電圧より、正常動作範囲の電圧を長く維持する。このため、払出制御基板Ｈは、停電等の発生によりパチンコ機Ｐの電源が切断された後も僅かながら制御を継続すると共に、その払出制御基板Ｈが動作している間中、各スイッチ２２，２４は正常な検出結果を出力する。
【００４３】
よって、停電等の発生の直前に払い出された賞球又は貸し球であっても、それらを賞球カウントスイッチ２２又は球貸カウントスイッチ２４により確実に検出し、残賞球数カウンタ３３ａ及び残球貸数カウンタ３３ｃの値を更新することができる。残賞球数カウンタ３３ａ及び残球貸数カウンタ３３ｃの値は、コンデンサ３４によって電源の切断後も保持されるので、停電等の発生により電源が切断されても、パチンコ機Ｐの電源を再投入することにより、未払いの賞球や貸し球を正確に払い出すことができるのである。
【００４４】
次に、図６及び図７を参照して、第２実施例について説明する。前記した第１実施例のパチンコ機Ｐでは、賞球カウントスイッチ２２や球貸カウントスイッチ２４等の各スイッチ１７〜２０，２２，２４として「９〜１３ボルト」の電圧で動作するスイッチを用いていたが、第２実施例のパチンコ機Ｐでは、各制御基板Ｃ，Ｈの動作電圧である「４〜５．５ボルト」より低い、「２．５〜３．５ボルト」の電圧で動作するスイッチを用いている。以下、第１実施例と同一の部分には同一の符号を付してその説明は省略し、異なる部分のみについて説明する。
【００４５】
図６に示すように第２実施例では、賞球カウントスイッチ２２及び球貸カウントスイッチ２４などの各スイッチ１７〜２０，２２，２４の駆動電圧は、電源基板Ｄに設けられたＤＣ３Ｖ生成回路４６から供給される。ＤＣ３Ｖ生成回路４６は、ＤＣ５Ｖ生成回路４４から出力される＋５ボルトの直流電圧から＋３ボルトの直流電圧を生成するので、パチンコ機Ｐの電源が切断された場合、図７に示すように、ＤＣ３Ｖ生成回路４６の出力電圧は、ＤＣ５Ｖ生成回路４４の出力電圧より正常動作範囲の電圧を長く維持することができる。
【００４６】
よって、停電等の発生によってパチンコ機Ｐの電源が切断された場合、払出制御基板Ｈが動作している間、賞球カウントスイッチ２２及び球貸カウントスイッチ２４は正常な検出結果を出力することができる。従って、第２実施例のパチンコ機Ｐにおいても、第１実施例のパチンコ機Ｐと同様の効果を奏することができる。
【００４７】
次に、図８から図１０を参照して、第３実施例について説明する。前記した第１実施例のＤＣ５Ｖ生成回路４４は、ＤＣ１２Ｖ生成回路４３と同様に、ＤＣ２４Ｖ生成回路４２の出力電圧を入力して＋５ボルトの直流電圧を生成した。これに対し、第３実施例のＤＣ５Ｖ生成回路４４は、ＤＣ２４Ｖ生成回路４２の出力電圧ではなく、ＤＣ１２Ｖ生成回路４３の出力電圧を入力して＋５ボルトの直流電圧を生成している。以下、第１実施例と同一の部分には同一の符号を付してその説明は省略し、異なる部分のみについて説明する。
【００４８】
図８に示すように、第３実施例のパチンコ機Ｐでは、ＤＣ２４Ｖ生成回路４２の出力電圧がＤＣ１２Ｖ生成回路４３へ入力されて＋１２ボルトの直流電圧が生成され、そのＤＣ１２Ｖ生成回路４３の出力電圧がＤＣ５Ｖ生成回路４４へ入力されて＋５ボルトの直流電圧が生成されている。このためパチンコ機Ｐの電源が切断された場合、図９に示すように、各スイッチ１７〜２０，２２，２４へ駆動電圧を供給するＤＣ１２Ｖ生成回路４３の出力電圧は、各制御基板Ｃ，Ｈへ駆動電圧を供給するＤＣ５Ｖ生成回路４４の出力電圧より、正常動作範囲の電圧を長く維持することはできない。即ち、停電等の発生によってパチンコ機Ｐの電源が切断された場合、払出制御基板Ｈが動作している間に、賞球カウントスイッチ２２及び球貸カウントスイッチ２４は、正常な検出結果を出力できなくなってしまう。
【００４９】
そこで、第３実施例の払出制御基板Ｈのメイン処理では、図１０のフローチャートに示すように、第１実施例のメイン処理に対して、Ｓ３１の処理を追加している。即ち、停電の発生や電源スイッチのオフによってパチンコ機Ｐの電源が切断されると、停電発生フラグ３３ｄがオンされるが（Ｓ１）、かかる停電発生フラグ３３ｄがオンしている場合には（Ｓ１１：Ｙｅｓ）、賞球や貸し球の払出制御（Ｓ１２〜Ｓ１８）をスキップするだけでなく、ＤＣ１２Ｖ生成回路４３の出力電圧を調べて（Ｓ３１）、その電圧が９．５ボルト以上である場合に限り（Ｓ３１：Ｙｅｓ）、払い出し球の検出処理を実行し（Ｓ１９〜Ｓ２４）、逆に、その電圧が９．５ボルト未満であれば（Ｓ３１：Ｎｏ）、払い出し球の検出処理を禁止（スキップ）するのである。賞球カウントスイッチ２２及び球貸カウントスイッチ２４等の各スイッチ１７〜２０，２２，２４の正常動作範囲の電圧は「９〜１３ボルト」であるので、Ｓ３１の処理では「０．５ボルト」のマージンをみて、「９．５ボルト」を基準に、払い出し球の検出処理（Ｓ１９〜Ｓ２４）を実行するか否かを判断している。
【００５０】
従って、停電等の発生によってパチンコ機Ｐの電源が切断された場合にも、払出制御基板Ｈは、賞球カウントスイッチ２２及び球貸カウントスイッチ２４の正常な検出結果のみを入力することができるので、停電等の発生の直前に払い出された賞球又は貸し球であっても、それらを賞球カウントスイッチ２２又は球貸カウントスイッチ２４により正確に検出し、残賞球数カウンタ３３ａ及び残球貸数カウンタ３３ｃの値を更新することができる。残賞球数カウンタ３３ａ及び残球貸数カウンタ３３ｃの値は、コンデンサ３４によって電源の切断後も保持されるので、停電等の発生により電源が切断されても、パチンコ機Ｐの電源を再投入することにより、未払いの賞球や貸し球を正確に払い出すことができる。
【００５１】
上記各実施例において、請求項１及び２記載の所定の有価価値を有する有価物体としては払出制御基板Ｈによって払い出される賞球および貸し球が、払出停止手段としては、Ｓ１１のＹｅｓの分岐処理が、また、請求項２記載の検出禁止手段としては、Ｓ３１のＮｏの分岐処理が、それぞれ該当する。
【００５２】
以上、実施例に基づき本発明を説明したが、本発明は上記実施例に何ら限定されるものではなく、本発明の趣旨を逸脱しない範囲内で種々の改良変形が可能であることは容易に推察できるものである。
【００５３】
例えば、上記各実施例では、払出制御基板ＨのＲＡＭ３３の内容は、バックアップ用のコンデンサ３３ｂによって、残賞球数カウンタ３３ａおよび残球貸数カウンタ３３ｃの値に限らず、すべてバックアップされた。しかし、かかるコンデンサ３３ｂによって、残賞球数カウンタ３３ａおよび残球貸数カウンタ３３ｃの値のみをバックアップするように構成しても良い。
【００５４】
また、停電等の発生時には、払出制御基板Ｈの動作時間をより長くするために、電力消費の大きな賞球払出用モータ２１及び球貸払出用モータ２３の駆動が真っ先に停止されたが、かかる停止と共に、電力消費の大きな他のモータ、例えば球を遊技領域１へ発射する発射モータなどの駆動を停止するようにしても良い。これにより、停電等の発生時における払出制御基板Ｈの動作時間をより長くして、停電等の発生直前に払い出された賞球や貸し球の検出をより確実に行うことができる。
【００５５】
更に、上記各実施例の停電監視回路４５は、外部電源４１の出力電圧を絶えず監視して、その出力電圧が所定電圧以下になった場合に停電信号４５ａを出力するように構成したが、かかる外部電源４１に代えて、ＤＣ２４Ｖ生成回路４２の出力電圧を監視し、その出力電圧が所定電圧以下になった場合に停電信号４５ａを出力するように構成しても良い。なお、停電監視回路４５の監視対象となる電源は、各スイッチ１７〜２０，２２，２４及び各制御基板Ｃ，Ｈへ駆動電圧を供給する電源より大きな電圧を出力する電源であれば、外部電源４１やＤＣ２４Ｖ生成回路４２以外の電源であっても良い。例えば、各スイッチ１７〜２０，２２，２４の正常動作範囲の駆動電圧が各制御基板Ｃ，Ｈと同じ「４〜５．５ボルト」である場合には、電源監視回路４５でＤＣ１２Ｖ生成回路４３の出力電圧を監視して、その出力電圧が所定電圧以下になった場合に停電信号４５ａを出力するように構成しても良いのである。
【００５６】
以下に本発明の変形例を示す。請求項１記載の遊技機において、前記払出制御手段の正常動作範囲の駆動電圧の最低値は、前記払出検出手段の正常動作範囲の駆動電圧の最低値より大きく設定されることにより、その払出検出手段の駆動電圧は、前記払出制御手段の駆動電圧より正常動作範囲の電圧が長く維持されるように構成されていることを特徴とする遊技機１。例えば、払出制御手段の正常動作範囲の駆動電圧の最低値が４ボルトで、払出検出手段の正常動作範囲の駆動電圧の最低値は２．５ボルトである場合、停電等の発生により遊技機の電源が切断されても、払出制御手段の動作中は、払出検出手段は確実に正常動作しているので、払出制御手段が払出検出手段の誤った検出結果を読み込むことはない。
【００５７】
請求項１記載の遊技機において、前記払出制御手段の正常動作範囲の駆動電圧の最低値は、前記払出検出手段の正常動作範囲の駆動電圧の最低値より低く設定されており、その払出検出手段へ駆動電圧を供給する電源は、前記払出制御手段へ駆動電圧を供給する電源と独立して、その払出制御手段の電源より大容量に構成されることにより、前記払出検出手段の駆動電圧は、前記払出制御手段の駆動電圧より正常動作範囲の電圧が長く維持されるように構成されていることを特徴とする遊技機２。例えば、払出制御手段の正常動作範囲の駆動電圧の最低値が４ボルトで、払出検出手段の正常動作範囲の駆動電圧の最低値は９．５ボルトである場合、払出検出手段の正常動作範囲の駆動電圧は、払出制御手段の正常動作範囲の駆動電圧より大きいが、払出検出手段および払出制御手段へ駆動電圧を供給する電源は独立して構成され、しかも、払出検出手段の電源の方が大容量に構成されている。よって、停電等の発生により遊技機の電源が切断されても、払出制御手段の動作中は、払出検出手段の駆動電圧を正常動作範囲の電圧に維持して、払出検出手段を正常動作させることができる。
【００５８】
請求項２記載の遊技機において、前記払出制御手段の正常動作範囲の駆動電圧の最低値は、前記払出検出手段の正常動作範囲の駆動電圧の最低値より低く設定されていることを特徴とする遊技機３。例えば、払出制御手段の正常動作範囲の駆動電圧の最低値が４ボルトで、払出検出手段の正常動作範囲の駆動電圧の最低値は９．５ボルトである場合、停電等の発生により遊技機の電源が切断されると、払出制御手段の正常動作中に、払出検出手段が正常動作不可能となる。しかし、かかる状態では、払出制御手段の検出禁止手段により、払出検出手段の検出（又は、検出結果の読み込み）が禁止されるので、誤った検出結果を読み込むことがない。
【符号の説明】
【００５９】
２１            賞球払出用モータ（払出実行手段の一部）
２２            賞球カウントスイッチ（払出検出手段の一部）
２３            球貸払出用モータ（払出実行手段の一部）
２４            球貸カウントスイッチ（払出検出手段の一部）
３３ａ          残賞球数カウンタ（残数記憶手段）
３３ｃ          残球貸数カウンタ（残数記憶手段）
３３ｄ          停電発生フラグ
３４            バックアップ用コンデンサ（バックアップ手段）
４１            外部電源
４２            ＤＣ２４Ｖ生成回路
４３            ＤＣ１２Ｖ生成回路
４４            ＤＣ５Ｖ生成回路
４５            停電監視回路
４５ａ          停電信号
４６            ＤＣ３Ｖ生成回路
Ｃ              主制御基板
Ｄ              電源基板
Ｈ              払出制御基板（払出制御手段）
Ｐ              パチンコ機（遊技機）
【図１】
2010167312.tif 000003
【図２】
2010167312.tif 000004
【図３】
2010167312.tif 000005
【図４】
2010167312.tif 000006
【図５】
2010167312.tif 000007
【図６】
2010167312.tif 000008
【図７】
2010167312.tif 000009
【図８】
2010167312.tif 000010
【図９】
2010167312.tif 000011
【図１０】
2010167312.tif 000012
【手続補正書】
【提出日】平成22年5月14日(2010.5.14)
【手続補正１】
【補正対象書類名】特許請求の範囲
【補正対象項目名】全文
【補正方法】変更
【補正の内容】
【特許請求の範囲】
【請求項１】
所定の有価価値を有する有価物体の払い出し制御を行う払出制御手段と、その払出制御手段の制御に基づいて有価物体の払い出しを実行する払出実行手段と、その払出実行手段によって払い出された有価物体を検出する払出検出手段とを備えた遊技機において、
前記払出制御手段は、有価物体の払い出し残数を記憶する残数記憶手段と、その残数記憶手段の内容を電源の切断後においても保持させるバックアップ手段と、停電の発生時に前記払出実行手段の払い出し動作を停止させる払出停止手段と、停電の発生時に前記払出検出手段の駆動電圧が正常動作範囲外の電圧値になった場合に、その払出検出手段による検出を禁止する検出禁止手段とを備えていることを特徴とする遊技機。